(57)【特許請求の範囲】
【請求項１】
複数の感知器が接続される受信機であって、
前記複数の感知器の中から試験対象の前記感知器を選択する操作部と、
前記操作部により選択された前記試験対象の感知器に設けた表示灯を点灯させることを指示する試験信号を供給する制御部と、
を備え、
前記試験対象の感知器が前回試験対象となった感知器とは異なる場合、前記制御部は、当該前回試験対象となった感知器の前記表示灯を消灯させることを指示する試験終了信号を供給し、前記試験対象の感知器に前記試験信号を供給する受信機。
【請求項２】
複数の光警報器が接続される受信機であって、
前記複数の光警報器の中から試験対象の前記光警報器を選択する操作部と、
前記操作部により選択された前記試験対象の光警報器に設けた表示灯を点灯させることを指示する試験信号を供給する制御部と、
を備え、
前記試験対象の光警報器が前回試験対象となった光警報器とは異なる場合、前記制御部は、当該前回試験対象となった光警報器の前記表示灯を消灯させることを指示する試験終了信号を供給し、前記試験対象の光警報器に前記試験信号を供給する受信機。
【請求項３】
複数の感知器と受信機とを接続して成る火災報知設備の、前記接続の試験方法であって、
前記受信機で複数の前記感知器の中から試験対象の感知器を選択して、前記試験対象の感知器の表示灯を点灯させ、
前記試験対象の感知器が前回試験対象となった感知器とは異なる場合に、当該前回試験対象となった感知器の表示灯を消灯させるとともに、前記試験対象の感知器の表示灯を点灯させる
火災報知設備の試験方法。
【請求項４】
複数の光警報器と受信機とを接続して成る火災報知設備の、前記接続の試験方法であって、
前記受信機で複数の前記光警報器の中から試験対象の光警報器を選択して、前記試験対象の光警報器の表示灯を点灯させ、
前記試験対象の光警報器が、前回試験対象となった光警報器とは異なる場合に、当該前回試験対象となった光警報器の表示灯を消灯させるとともに、前記試験対象の光警報器の表示灯を点灯させる
火災報知設備の試験方法。
【発明の詳細な説明】
【技術分野】
【０００１】
本発明は、受信機及び火災報知設備の試験方法に関する。
【背景技術】
【０００２】
従来、火災報知設備において、受信機から引き出された専用の回線に、固有の識別子が付与された複数の火災感知器が接続されている。火災感知器は、火災を検出した場合に識別子を含む火災検出信号を受信機に送信する。受信機は、火災感知器から供給される火災検出信号に基づいて音響装置を鳴動させることで火災警報の報知を実施する（特許文献１参照）。
【０００３】
また、火災報知設備の保守点検時に、作業者は火災感知器の動作を確認するために火災試験を実施する必要がある。この火災試験は、火災感知器に直接、熱、煙を加えて受信機に受信動作を行わせることで、火災報知設備の機能が異常か否かを点検している。
【先行技術文献】
【特許文献】
【０００４】
【特許文献１】特開２００１−１１８１６４号公報
【発明の概要】
【発明が解決しようとする課題】
【０００５】
しかしながら、従来の火災報知設備では、火災感知器に対する専用回線の配線が正常に行われているか否かを確認する場合にも火災試験を実施する。そのため、作業者は、火災報知設備の施工後に感知器に対する専用回線の配線の接続確認を実施する際、火災感知器に直接、熱、煙等を加えて受信機に受信動作を行わせる必要がある。したがって、火災感知器に対する専用回線の配線の接続確認に多大な時間を要していた。
【０００６】
本発明は、このような事情に鑑みてなされたもので、その目的は、感知器に対する配線の接続確認を、火災感知器に直接、熱、煙等を加えて受信機に受信動作を行わせずに実施することができる受信機及び火災報知設備の試験方法を提供することである。
【課題を解決するための手段】
【０００７】
本発明の一態様は、複数の感知器が接続される受信機であって、前記複数の感知器の中から試験対象の前記感知器を選択する操作部と、前記操作部により選択された前記試験対象の感知器に設けた表示灯を点灯させることを指示する試験信号を供給する制御部と、を備え、前記試験対象の感知器が前回試験対象となった感知器とは異なる場合、前記制御部は、当該前回試験対象となった感知器の前記表示灯を消灯させることを指示する試験終了信号を供給し、前記試験対象の感知器に前記試験信号を供給する受信機である。
【０００８】
また、本発明の一態様は、複数の光警報器が接続される受信機であって、前記複数の光警報器の中から試験対象の前記光警報器を選択する操作部と、前記操作部により選択された前記試験対象の光警報器に設けた表示灯を点灯させることを指示する試験信号を供給する制御部と、を備え、前記試験対象の光警報器が前回試験対象となった光警報器とは異なる場合、前記制御部は、当該前回試験対象となった光警報器の前記表示灯を消灯させることを指示する試験終了信号を供給し、前記試験対象の光警報器に前記試験信号を供給する受信機である。
【０００９】
また、本発明の一態様は、複数の感知器と受信機とを接続して成る火災報知設備の、前記接続の試験方法であって、前記受信機で複数の前記感知器の中から試験対象の感知器を選択して、前記試験対象の感知器の表示灯を点灯させ、前記試験対象の感知器が前回試験対象となった感知器とは異なる場合に、当該前回試験対象となった感知器の表示灯を消灯させるとともに、前記試験対象の感知器の表示灯を点灯させる火災報知設備の試験方法である。
【００１０】
また、本発明の一態様は、複数の光警報器と受信機とを接続して成る火災報知設備の、前記接続の試験方法であって、前記受信機で複数の前記光警報器の中から試験対象の光警報器を選択して、前記試験対象の光警報器の表示灯を点灯させ、前記試験対象の光警報器が、前回試験対象となった光警報器とは異なる場合に、当該前回試験対象となった光警報器の表示灯を消灯させるとともに、前記試験対象の光警報器の表示灯を点灯させる火災報知設備の試験方法である。
【発明の効果】
【００１１】
以上説明したように、本発明によれば、感知器に対する配線の接続確認を、火災感知器に直接、熱、煙等を加えて受信機に受信動作を行わせずに実施することができる。
【図面の簡単な説明】
【００１２】
【図１】本実施形態の受信機３０を備える火災報知設備１の概略構成の一例を示す図である。
【図２】本実施形態における火災感知器５の概略構成を示す図である。
【図３】本実施形態における受信機３０の概略構成の一例を示す図である。
【図４】本実施形態における選択スイッチ３１２の概略構成の例を示す図である。
【図５】本実施形態における管理テーブルの一例を示す図である。
【図６】本実施形態における制御部３２の動作の作動確認モードの処理フローを説明する図である。
【発明を実施するための形態】
【００１３】
実施形態の受信機は、それぞれに固有のアドレスが割り当てられた複数の感知器に複数の感知器回線を介して接続される。受信機は、操作部及び制御部を備える。操作部は、複数の感知器の中から指定されたアドレスである指定アドレスに対応する感知器を選択する。制御部は、操作部により選択された指定アドレスに対応する感知器に備えられた表示灯を点灯させることを指示する試験信号を供給する。操作部により指定アドレスが選択された際に、複数の感知器の中から前回選択された感知器とは異なる他の感知器が選択された場合、制御部は、前回選択された感知器の表示灯を消灯させることを指示する試験終了信号を供給し、新たに選択された他の感知器に試験信号を供給してもよい。
以下に、実施形態の受信機を備える火災報知設備について、具体的に説明する。なお、受信機は大きく分類して、Ｐ（Proprietary Type）型受信機と、Ｒ（Record Type）型受信機に分けられるが、以下では、本実施形態の受信機がＰ型受信機である場合を例として説明する。
【００１４】
図１は、本実施形態の受信機３０を備える火災報知設備１の概略構成の一例を示す図である。
図１に示すように、本実施形態の火災報知設備１は、ｎ（ｎは整数）階の建物に設置され、火災やガス漏れ等の災害の発生を検知し、検知した災害の発生を建物内の人々に報知する。
火災報知設備１は、複数の火災感知器５（５−１〜５−９）及び受信機３０を備える。
火災感知器５は、建物の各階の天井や壁に配置されている。具体的には、火災感知器５は、１台又は複数台の火災感知器５がそれぞれ法定の設置間隔で各階に配置されている。火災感知器５は、感知器回線Ｄ（感知器回線Ｄ１〜Ｄｎ）を介して受信機３０に接続されている。各々の検知回線Ｄ１〜Ｄｎには、任意数の火災感知器５が並列接続されている。本実施形態では、火災感知器５−１〜５−３は、感知器回線Ｄ１を介して受信機３０に接続されている。火災感知器５−４〜５−６は、感知器回線Ｄ２を介して受信機３０に接続されている。火災感知器５−７〜５−９は、感知器回線Ｄｎを介して受信機３０に接続されている。ただし、本実施形態における火災感知器の数は、設置される建物の大きさ等により変更されるものである。すなわち、本発明は、火災感知器５の数に限定されない。
【００１５】
図２は、本実施形態における火災感知器５の概略構成を示す図である。
図２に示すように、火災感知器５は、アドレス記憶部５１、動作表示灯５２及び制御部５３を備えている。
アドレス記憶部５１には、自装置に割り当てられているアドレスが予め格納されている。すなわち火災感知器５には、それぞれに固有のアドレスが割り当てられている。
動作表示灯５２は、自装置が動作していることを示す表示灯である。動作表示灯５２は、制御部５３から電源が供給されると点灯する。例えば、動作表示灯５２は、ＬＥＤ（Light Emitting Diode）である。作業者は、動作表示灯５２が点灯しているか否かを確認することで、火災感知器５に対する配線が正常に行われた否かを確認することができる。
【００１６】
制御部５３は、所定の区画の煙濃度又は温度を検出し、検出した煙濃度又は温度が所定の閾値を超えた場合に火災が発生したと判断する。そして、火災感知器５は、火災の発生を検知した場合に、火災の発生を示す火災検出信号とアドレス記憶部５１に記憶されているアドレスとを感知器回線Ｄを介して受信機３０に出力する。
【００１７】
制御部５３は、受信機３０から感知器回線Ｄを介して試験信号と指定アドレスとが供給されると、受信機３０から供給される指定アドレスとアドレス記憶部５１に記憶されているアドレスとを比較する。指定アドレスとは、受信機３０で決定された所定の火災感知器５のアドレスである。
【００１８】
制御部５３は、受信機３０から供給される指定アドレスとアドレス記憶部５１に記憶されているアドレスとが一致した場合、動作表示灯５２に電源を供給する。制御部５３は、受信機３０から供給される指定アドレスとアドレス記憶部５１に記憶されているアドレスとが一致しない場合、後段に接続された火災感知器５の制御部５３に試験信号と指定アドレスとを供給する。すなわち、火災感知器５は、指定アドレスとアドレス記憶部５１に記憶されているアドレスとが一致した場合のみ、動作表示灯５２が点灯する。本実施形態では、火災感知器５−１〜５−９には、アドレス「３１」〜「３９」が各々割り当てられているとする。
【００１９】
制御部５３は、動作表示灯５２が点灯している場合に受信機３０から感知器回線Ｄを介して試験終了信号が供給されると、動作表示灯５２に対する電源の供給を停止する。これにより、制御部５３は、動作表示灯５２の点灯を停止する。例えば、火災感知器５は、周囲の温度を検知する熱感知器又は煙を感知する煙感知器である。
【００２０】
受信機３０は、建物に対する施工時や定期点検時等に火災感知器５に対する配線が正常に接続されているか否かを確認する機能である作動確認モードを備える。
【００２１】
受信機３０は、複数の火災感知器５のアドレスの中から配線の接続確認試験を実施する火災感知器５のアドレス（指定アドレス）が作業者により選択された場合、選択された指定アドレスに対応する火災感知器５に対して試験信号を供給する。これにより、指定アドレスが割り当てられている火災感知器５は、自身の配線が正常に接続されている場合には、動作表示灯５２が点灯する。一方、指定アドレスが割り当てられている火災感知器５は、自身の配線が正常に接続されていない場合には、動作表示灯５２が点灯しない。したがって、作業者は、選択した指定アドレスが割り当てられた火災感知器５の動作表示灯５２を確認することで、受信機３０との配線の接続が正常か否かを判定することができる。
【００２２】
図３は、本実施形態における受信機３０の概略構成の一例を示す図である。
受信機３０は、端子Ｌ（Ｌ１〜Ｌｎ）、操作部３１、制御部３２及び記憶部３３を備える。端子Ｌ１〜Ｌｎは、各感知器回線Ｄ１〜Ｄｎを介して火災感知器５に接続されている。
【００２３】
操作部３１は、作動確認スイッチ３１１、選択スイッチ３１２、決定スイッチ３１３及び復旧スイッチ３１４を備える。
作動確認スイッチ３１１は、建物に対する施工時や定期点検時等に火災感知器５の配線の接続を確認する際に作業者により操作されるスイッチである。操作部３１は、作動確認スイッチ３１１が作業者により操作されると作動確認信号を制御部３２に出力する。これにより、受信機３０は作動確認モードに移行する。なお、作動確認スイッチ３１１は、受信機３０の防災監視盤の表面又は裏面（盤内）に配置されている。
【００２４】
選択スイッチ３１２は、受信機３０の作動確認モード時において操作されるスイッチである。具体的には、選択スイッチ３１２は、火災報知設備１の建物に対する施工時や定期点検時等に、作業者が感知器回線Ｄの中から試験回線を選択可能なスイッチである。試験回線とは、作業者が接続確認する火災感知器５が接続されている感知器回線である。また、選択スイッチ３１２は、選択した試験回線に接続された火災感知器５の中で、接続確認する火災感知器５のアドレスを指定アドレスとして選択可能なスイッチである。
【００２５】
決定スイッチ３１３は、選択スイッチ３１２により選択された感知器回線Ｄを試験回線とすることを確定するスイッチである。また、決定スイッチ３１３は、選択スイッチ３１２により選択されたアドレスを、接続確認試験を行う火災感知器５を指定する指定アドレスとすることを確定するスイッチである。
【００２６】
選択スイッチ３１２により試験回線が選択されている場合に決定スイッチ３１３が操作されると、操作部３１は、試験回線として選択された感知器回線Ｄを示す回線情報を制御部３２に出力する。選択スイッチ３１２によりアドレスが選択されている場合に決定スイッチ３１３が操作されると、操作部３１は、指定アドレスとして選択された火災感知器５のアドレスを制御部３２に出力する。これにより、指定アドレスとして選択されたアドレスの火災感知器５と受信機３０との接続確認を行うことができる。なお、引き続き、選択した試験回線に接続された異なる火災感知器５の接続確認試験を実行する場合、作業者は選択スイッチ３１２により接続確認する火災感知器５のアドレスを選択し、決定スイッチ３１３を押下することで選択した試験回線に接続された異なる火災感知器５の接続確認試験を実行することができる。
【００２７】
復旧スイッチ３１４は、受信機３０の作動確認モードを終了する場合において操作されるスイッチである。操作部３１は、復旧スイッチ３１４が作業者により操作されると作動確認終了信号を制御部３２に出力する。これにより、受信機３０は作動確認モードを終了する。
【００２８】
以下に、本実施形態における選択スイッチ３１２の概略構成の例を説明する。図４は、本実施形態における選択スイッチ３１２の概略構成の例を示す図である。
選択スイッチ３１２は、表示部３２０及びスイッチ部３２１を備える。表示部３２０は、受信機３０に接続される複数の火災感知器５のアドレスを作業者に選択可能に表示する。表示部３２０は、第１表示部３２０ａ及び第２表示部３２０ｂを備える。
【００２９】
第１表示部３２０ａは、スイッチ部３２１により試験回線として選択された感知器回線Ｄの回線番号を表示する。
第２表示部３２０ｂは、スイッチ部３２１により指定アドレスとして選択された火災感知器５のアドレスを表示する。例えば、第２表示部３２０ｂは、第１表示部３２０ａに表示された感知器回線Ｄの回線番号が決定スイッチ３１３により確定された場合に火災感知器５の指定アドレスを表示する。例えば、表示部３２０は、複数の７セグメントＬＥＤを使用した表示器である。
【００３０】
スイッチ部３２１は、感知器回線Ｄ１〜Ｄｎの中から試験回線を選択する場合に作業者により操作されるスイッチである。また、スイッチ部３２１は、第１表示部３２０ａに表示された感知器回線Ｄが試験回線として確定された後に、火災感知器５のアドレスの中から指定アドレスを選択する場合に作業者により操作されるスイッチである。
【００３１】
まず、感知器回線Ｄ１〜Ｄｎの中から試験回線を選択する場合に、スイッチ部３２１が操作されると、第１表示部３２０ａに表示される回線番号が変更される。すなわち、選択された感知器回線Ｄが変更され、新たな感知器回線Ｄが選択される。したがって、作業者は、第１表示部３２０ａに表示される回線番号を確認しながら、スイッチ部３２１を操作することで感知器回線Ｄ１〜Ｄｎの中から試験回線を選択することができる。そして、決定スイッチ３１３が押下されると、第１表示部３２０ａに表示される回線番号の感知器回線Ｄが試験回線として確定される。第１表示部３２０ａに表示される回線番号の感知器回線Ｄが試験回線として確定されると、スイッチ部３２１により試験回線に接続された火災感知器５のアドレスの中で、指定アドレスを選択することができる。試験回線に接続された火災感知器５のアドレスの中から指定アドレスを選択する場合に、スイッチ部３２１が操作されると、第２表示部３２０ｂに表示されるアドレスが変更される。すなわち、選択された火災感知器５のアドレスが変更され、新たな火災感知器５のアドレスが選択される。したがって、作業者は、第２表示部３２０ｂに表示される火災感知器５のアドレスを確認しながら、スイッチ部３２１を操作することで火災感知器５のアドレスの中から指定アドレスを選択することができる。そして、決定スイッチ３１３が押下されると、第２表示部３２０ｂに表示される火災感知器５のアドレスが指定アドレスとして確定される。例えば、スイッチ部３２１は、アップキー及びダウンキーを備えてもよい。また、スイッチ部３２１は、十字キーでもよい。例えば、表示部３２０は、複数の７セグメントＬＥＤを使用した表示器である。
【００３２】
制御部３２は、選択スイッチ３１２から供給される回線情報に基づいて、端子Ｌ１〜Ｌｎの中から特定の端子を選択する。すなわち、制御部３２は、選択スイッチ３１２から供給される回線情報が示す回線に接続された端子を端子Ｌ１〜Ｌｎの中から選択する。
制御部３２は、選択スイッチ３１２から指定アドレスが供給されると、選択した端子から試験信号と指定アドレスとを出力する。
制御部３２は、選択スイッチ３１２から作動確認終了信号が供給された場合、選択した端子から試験終了信号を出力する。
【００３３】
以下に、本実施形態における制御部３２の端子Ｌ１〜Ｌｎの中から特定の端子を選択する方法の一例を説明する。
【００３４】
制御部３２は、選択スイッチ３１２から供給される回線番号を取得すると、取得した回線番号が試験回線の回線番号としてセットされる。これにより、スイッチ部３２１により試験回線に接続された火災感知器５のアドレスの中で、指定アドレスが選択可能となる。
【００３５】
制御部３２は、選択スイッチ３１２から供給される指定アドレスを取得した場合、取得した指定アドレスに対応した端子番号を管理テーブルから読み込む。管理テーブルは、記憶部３３に予め記憶されている。以下に、本実施形態における管理テーブルの一例を説明する。図５は、本実施形態における管理テーブルの一例を示す図である。図５に示すように、管理テーブルは、回線番号毎に端子番号とアドレスとが対応付けられている。本実施形態において、回線番号０１〜０ｎは、感知器回線Ｄ１〜Ｄｎの回線番号とする。端子番号とは、端子Ｌ１〜Ｌｎの番号である。すなわち、管理テーブルには、回線番号と、各回線番号が示す感知器回線Ｄ１〜Ｄｎに接続された端子番号とが対応付けられている。制御部３２は、読み込んだ端子番号の端子Ｌから試験信号と指定アドレスとを供給する。例えば、制御部３２は、選択スイッチ３１２から供給される指定アドレス「３２」を取得したとする。制御部３２は、指定アドレス「３２」に対応した端子番号Ｌ１を管理テーブルから読み込む。そして、制御部３２は、読み込んだ端子番号Ｌ１から試験信号と指定アドレス「３２」とを供給することで、試験回線となる感知器回線Ｄ２に接続された火災感知器５−２の接続確認試験を実施することができる。
【００３６】
制御部３２は、異なる指定アドレスを続けて取得した場合、読み込んだ端子番号の端子Ｌから試験終了信号を出力する。そして、制御部３２は、試験終了信号の出力後に読み込んだ端子番号の端子Ｌから試験信号と次の指定アドレスとを供給する。例えば、制御部３２は、選択スイッチ３１２から指定アドレス「３２」が供給された後に指定アドレス「３３」が供給されたとする。その場合、最初に制御部３２は、読み込んだ端子番号の端子Ｌから試験信号と指定アドレス「３２」とを供給することで、火災感知器５−１の接続確認試験を実行する。そして、制御部３２は、指定アドレス「３３」が供給されると、読み込んだ端子番号の端子Ｌから試験終了信号を出力することで、火災感知器５−１の接続確認試験を終了する。次に、制御部３２は、読み込んだ端子番号の端子Ｌから試験信号と指定アドレス「３３」とを供給することで、火災感知器５−２の接続確認試験を実行する。すなわち、制御部３２は、操作部３１により指定アドレスが選択された後に、複数の火災感知器５のアドレスの中から前回とは異なる指定アドレスが選択された場合に、前回の指定アドレスに試験終了信号を供給し、新たに選択された指定アドレスに試験信号を供給する。これにより、火災感知器５の配線の接続が正常である場合に、前回に選択された指定アドレスの火災感知器５の動作表示灯５２を消灯させ、新たに選択された指定アドレスの火災感知器５の動作表示灯５２を点灯させることができる。
【００３７】
以下、本実施形態の制御部３２の作動確認モードの動作について、図６を用いて説明する。図６は、本実施形態における制御部３２の動作の作動確認モードの処理フローを説明する図である。なお、火災感知器５の接続確認試験を実施するには、火災感知器５の動作表示灯５２を確認する作業者と、受信機３０で接続確認試験の操作を行う作業者の２人が必要である。また、作業者は、接続確認試験を実施する際に、火災感知器５の各アドレスと、各アドレスの火災感知器５の設置場所との対応関係を予め把握している。すなわち、作業者は、火災感知器５の場所をアドレス毎に予め把握している。
【００３８】
火災感知器５の配線の接続確認試験を実施する場合、作業者は作動確認スイッチ３１１を操作する。作動確認スイッチ３１１が作業者により操作されると、制御部３２は、操作部３１から作動確認信号が供給される（ステップＳ１０１）。これにより、受信機３０は作動確認モードに移行する。
【００３９】
作業者はスイッチ部３２１を操作することで感知器回線Ｄの中から試験回線を選択する。この際、第１表示部３２０ａには、試験回線として選択された感知器回線Ｄの回線番号が表示されている。そして、作業者により決定スイッチ３１３が操作されると、制御部３２は、試験回線として選択された感知器回線Ｄの回線番号を操作部３１から取得する（ステップＳ１０２）。
【００４０】
作業者はスイッチ部３２１を操作することで火災感知器５のアドレスの中から指定アドレスを選択する。この際、第２表示部３２０ｂには、指定アドレスとして選択された火災感知器５のアドレスが表示されている。そして、作業者により決定スイッチ３１３が操作されると、制御部３２は、指定アドレスとして選択された火災感知器５のアドレスを操作部３１から取得する（ステップＳ１０３）。
【００４１】
制御部３２は、選択スイッチ３１２から供給される指定アドレスを取得した場合、指定アドレスに対応した端子番号を管理テーブルから読み込む（ステップＳ１０４）。
【００４２】
制御部３２は、読み込んだ端子番号の端子Ｌから試験信号と指定アドレスとを供給する（ステップＳ１０５）。これにより、作業者は、指定アドレスが示す火災感知器５の接続確認を行うことができる。すなわち、作業者は、指定アドレスが示す火災感知器５の動作表示灯５２が点灯していることを確認した場合、その火災感知器５に対する配線が正常に行われていると判定することができる。一方、作業者は、指定アドレスが示す火災感知器５の動作表示灯５２が点灯していないことを確認した場合、その火災感知器５に対する配線が正常に行われていないと判定することができる。
【００４３】
制御部３２は、操作部３１から供給される試験終了信号を取得したか否かを判定する（ステップＳ１０６）。作業者は、火災感知器５の接続確認を終了する場合、復旧スイッチ３１４を操作する。
【００４４】
操作部３１は、作業者により復旧スイッチ３１４が操作されると、制御部３２に動確認終了信号を供給する（ステップＳ１０７）。制御部３２は、操作部３１から作動確認終了信号を取得した場合、ステップＳ１０４の処理において読み込んだ端子番号の端子Ｌから試験終了信号を出力する。これにより、点灯している火災感知器５の動作表示灯５２を消灯させ、受信機３０の作動確認モードを終了する。
【００４５】
制御部３２は、操作部３１から作動確認終了信号を取得しない場合、新たな指定アドレスを取得したか否かを判定する（ステップＳ１０８）。制御部３２は、新たな指定アドレスを取得した場合、ステップＳ１０４の処理において読み込んだ端子番号の端子Ｌから試験終了信号を出力する（ステップＳ１０９）。そして、ステップＳ１０５の処理に移行する。これにより、引き続き、選択した試験回線に接続された異なる火災感知器５の接続確認を実行することができる。すなわち、作業者は、選択スイッチ３１２により新たに接続確認する火災感知器５のアドレスを選択し、決定スイッチ３１３を押下することで、現在の火災感知器５の接続確認を終了し、選択した試験回線に接続された異なる火災感知器５の接続確認を実行することができる。
【００４６】
制御部３２は、新たな指定アドレスを取得しない場合、ステップＳ１０６の処理を再度実行する。
【００４７】
上述したように、本実施形態の受信機３０は、複数の火災感知器５のアドレスの中から指定アドレスを選択可能な操作部３１を備える。受信機３０は、操作部３１により選択された指定アドレスに対応する火災感知器５の動作表示灯５２を点灯させることを指示する試験信号を供給する。したがって、火災感知器５に対する配線が正常に行われているかを確認する場合に、火災感知器５に直接、熱、煙等を加える火災試験を実施する必要がない。すなわち、作業者は、火災感知器５に直接、熱、煙等を加えて受信機３０に受信動作を行わせずに火災感知器５に対する配線の接続確認を実施することができる。これにより、受信機３０は、従来と比較して火災感知器５に対する配線の接続確認試験を短時間で実施することができる。
【００４８】
上述の実施形態において、制御部３２は、復旧スイッチ３１４が押下された場合や異なる指定アドレスを続けて取得した場合に、試験終了信号を火災感知器５に出力したが、これに限定されない。例えば、受信機３０にタイマー設け、制御部３２は、試験信号を出力すると同時にタイマーの計時を開始する。そして、制御部３２は、タイマーが予め設定された時間を計時した際に、試験終了信号を出力してもよい。これにより、復旧スイッチ３１４の操作し忘れによる火災感知器５の動作表示灯５２の長時間点灯を防止することができる。
【００４９】
また、上述の実施形態において、受信機３０は、火災感知器５の接続確認試験を実施する場合について説明したが、これに限定されない。例えば、受信機３０に光警報装置が接続されており、受信機３０は、自身に接続された光警報装置の接続確認試験を、上述した火災感知器５の接続確認試験と同様な方法で実施することができる。光警報装置１０は、自身に設けられた発光体を点滅させることで建物内の人々に災害の発生を報知する装置である。
【００５０】
以上、この発明の実施形態を図面を参照して詳述してきたが、具体的な構成は上述の実施形態に限られるものではなく、この発明の要旨を逸脱しない範囲の設計等も含まれる。
【００５１】
上述した実施形態における制御部３２をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【符号の説明】
【００５２】
１  火災報知設備
５  火災感知器
３０  受信機
３１  操作部
３２  制御部
３３  記憶部
５１  アドレス記憶部
５２  動作表示灯
５３  制御部
３１１  作動確認スイッチ
３１２  選択スイッチ
３１３  決定スイッチ
３１４  復旧スイッチ
【図１】
0006584835.tif 000002
【図２】
0006584835.tif 000003
【図３】
0006584835.tif 000004
【図４】
0006584835.tif 000005
【図５】
0006584835.tif 000006
【図６】
0006584835.tif 000007